(57)【要約】      （修正有）【課題】庫内から搬出される商品を確実に商品取出口に送出することが可能な自動販売機の商品搬出扉を提供する。【解決手段】断熱筐体として形成された本体キャビネット１の商品収納庫を閉塞する断熱内扉１０および本体キャビネット１を閉塞する外扉６を備え、前記商品収納庫内と外扉６に形成された商品取出口９とを連係するところの前記断熱内扉１０に形成された商品搬出口１０１ａに商品搬出扉１１１を設けた自動販売機であって、前記商品収納庫内から搬出される商品と当接する商品搬出扉１１１における内壁面を梨地状に形成する。前記商品搬出扉の内壁面を梨地状に形成することにより商品との接触面積が小さくなり、これによって前記梨地面に当接した商品はスムーズに商品搬出扉の内壁面を滑落して商品取出口６に送出される。【選択図】図１
2008102655.tif 000002
【特許請求の範囲】
【請求項１】
断熱筐体として形成された本体キャビネットの商品収納庫を閉塞する断熱内扉および前記本体キャビネットの前面を閉塞する外扉を備え、前記断熱内扉に形成され、庫内と外扉の商品取出口とを連係する商品搬出口に商品搬出扉を設けたものにおいて、前記庫内から搬出される商品と当接する商品搬出扉における内壁面を梨地状に形成したことを特徴とする自動販売機の商品搬出扉。
【請求項２】
請求項１に記載の自動販売機の商品搬出扉において、商品搬出口の内壁面に梨地を直接形成したことを特徴とする自動販売機の商品搬出扉。
【請求項３】
請求項１に記載の自動販売機の商品搬出扉において、表面が梨地状に形成された部材を商品搬出扉の内壁面に取付けたことを特徴とする自動販売機の商品搬出扉。
【発明の詳細な説明】
【技術分野】
【０００１】
この発明は、断熱筐体として構成された本体キャビネットの商品収納庫における前面を閉鎖する断熱内扉を備え、前記本体キャビネットの庫内に配設された商品収納ラックから搬出された缶飲料，瓶飲料，ペットボトル飲料，紙パック飲料などの各種商品を販売する自動販売機に係り、特に断熱内扉に設けられた商品搬出口に装備され、常時は前記商品搬出口閉塞し、庫内の商品収納ラックから搬出されて商品販売口に送出される商品により押し開かれる商品搬出扉の構造に関する。
【背景技術】
【０００２】
図３は缶飲料，ペットボトル飲料などの商品を販売する一般的な自動販売機の構成を示す斜視図であり、図において、１は前面が開放した本体キャビネットであり、前記本体キャビネット１の断熱材で囲まれた商品収納庫内は断熱仕切板２により左右方向に複数の商品収納室３，４，５に区画されている。各商品収納室３，４，５には、缶飲料、ペットボトル飲料などの商品を収容するとともにその下端に商品を搬出する商品払出機構を有する商品収納ラックＲ（この例ではサーペンタイン式と呼ばれる蛇行した商品通路を有する商品収納ラック）がそれぞれ収設され、また、各商品収納室３，４，５から払い出された商品を搬出するシューターＣの背後には、それぞれの商品収納室３，４，５を冷却もしくは加熱して商品収納ラックに収納した商品を冷蔵（コールド）・温蔵（ホット）状態に保存する冷却／加熱ユニット若しくは冷却ユニットが配設されている。本体キャビネット１の底壁１ａの下部は機械室として形成され、この機械室には前記冷却／加熱ユニットの冷却ユニットと冷凍サイクルを構成する冷凍機のコンデンシングユニットが配設されている。なお、冷却ユニットのみが配設された商品収納室はコールド専用室、冷却／加熱ユニットが配設された商品収納室はホット／コールド室に兼用されている。
【０００３】
図３において、６は本体キャビネット１の前面にヒンジにより開閉自在に装着された外扉である。この外扉６の前面には良く知られているようにディスプレイ台に載置された商品見本のディスプレイ室が形成され、このディスプレイ室の前面を覆う透明板には各商品見本に対応して設けられた商品選択ボタンを備えた商品選択ボタンユニットが配設されている。また、前記外扉６の前面には、その背面に取付けられた硬貨処理装置７および紙幣処理装置８の硬貨投入口および紙幣投入口、硬貨処理装置７の釣銭返却口、商品取出口９、返却レバー、シリンダー錠付きのハンドルロック装置などが組付けられている。
【０００４】
また、図３において１０は本体キャビネット１における商品収納庫の前面を閉塞する断熱内扉であり、この例では断熱内扉が上下に分割されており、上部の断熱内扉１０は外扉６に一体的に取付けられ、下部の断熱内扉１０は図において左端側を外扉にヒンジ結合されている。また、各商品収納室３，４，５の下部に配置されたシューターＣと外扉６の商品取出口９とを連係するように下部の断熱内扉１０には商品搬出口が開口されるとともにその記商品搬出口を閉塞する商品搬出扉１１が設けられている。この商品搬出扉１１は上端を軸支されて揺動自在に構成され、常時（販売待機時）商品搬出口を閉塞しており、販売時にシューターＣを介して商品取出口９に送出される商品により押し開かれるように形成されている。なお、１２は断熱内扉１０の下縁に取付けられた樋である。
【０００５】
かかる構成で、販売待機時には前記商品搬出扉１１が商品搬出口を閉塞しており、庫内の商品を冷却してコールド商品として販売する商品収納室の場合には商品搬出口から庫内に外気が侵入するのを防ぎ、庫内の商品を加熱してホット商品として販売する商品収納室の場合には商品搬出口から庫内の暖気が流出するのを防いでいる。一方、販売動作により商品収納ラックＲから払出された商品はシューターＣに落下して滑落し、断熱内扉１０の商品搬出口を閉塞する商品搬出扉１１を押し開いて外扉６の商品取出口９に送出される（例えば、特許文献１）。
【特許文献１】特許第３２０３１３４号公報
【発明の開示】
【発明が解決しようとする課題】
【０００６】
ところで、前記商品搬出扉１１にあっては庫内から商品取出口９に送出される商品によって押し開かれるように構成されていることから商品と接触する内壁面は商品との摩擦抵抗が小さくなるように鏡面として形成されている。ところが、商品補充などにより断熱内扉１０を解放した際、庫内を冷却してコールド商品として販売する商品収納室に侵入する外気により室内に結露が生じ、商品収納ラックＲに収容された商品に水滴が付着することがあり、このため商品収納ラックＲから払出された商品に前記結露による水滴が付着している場合、当該商品により押し開かれる商品搬出扉１１の内壁面に水滴が付着してしまうことがある。このように水滴が付着した商品搬出扉１１の内壁面に商品が当接すると商品搬出扉１１の内壁面に商品が密着してしまう。商品の重さが比較的重い場合には商品搬出扉１１の内壁面に水滴が付着していても商品は商品搬出扉１１の内壁面に密着することなく商品搬出扉１１を押し開いて滑落するが、軽量の商品では商品が商品搬出扉１１の内壁面に密着することから商品搬出扉１１を押し開くことができずに商品詰まりを惹起するおそれがある。また、角を有する多面体形状の紙パック飲料においては多面体の角が平面状に潰れてしまうことがあり、その平面状部が商品搬出扉１１の内壁面に当接すると摩擦抵抗が大きくなるとともに、商品搬出扉１１の内壁面に水滴が付着している場合には商品搬出扉の内壁面に商品が張り付いて商品詰まりを起すおそれがある。
【０００７】
そこで、本発明は上記の点に鑑みなされたものであり、庫内から搬出される商品を確実に商品取出口に送出することが可能な自動販売機の商品搬出扉を提供することを目的とする。
【課題を解決するための手段】
【０００８】
上記目的を達成するために本発明は、断熱筐体として形成された本体キャビネットの商品収納庫を閉塞する断熱内扉および前記本体キャビネットの前面を閉塞する外扉を備え、前記断熱内扉に形成され、庫内と外扉の商品取出口とを連係する商品搬出口に商品搬出扉を設けたものにおいて、前記庫内から搬出される商品と当接する商品搬出扉における内壁面を梨地状に形成したことを特徴とする（請求項１）。
【０００９】
この場合、商品搬出口の内壁面に直接梨地を形成することができ（請求項２）、また、表面が梨地状に形成された部材を商品搬出口の内壁面に取付けることもできる（請求項３）。
【発明の効果】
【００１０】
本発明の請求項１に記載した自動販売機の商品搬出扉によれば、庫内から搬出される商品と当接する商品搬出扉における内壁面を梨地状に形成したことにより鏡面仕上げされた内壁面に対して商品との接触面積が小さくなることからその分だけ摩擦抵抗が小さくなる。また、商品搬出扉における内壁面が梨地状に形成されていることから当該内壁面の表面積が大きくなり、商品搬出扉の内壁面に水滴が付着した場合にもその水滴の大部分は梨地状の凹面に付着し、商品との接触点となる梨地状の凸部に付着する水滴は僅かなものとなることから当該水滴によって商品が商品搬出扉の内壁面に張り付くことがない。よって、軽量な商品であっても、また、多面体形状の紙パック飲料であっても確実に商品取出口に送出することができるという効果を有する。
【００１１】
また、請求項２に記載の自動販売機の商品搬出扉によれば、商品搬出扉の内壁面に直接梨地面を形成することによって商品搬出扉の製造時に梨地面を形成することができ、さらに、請求項３に記載の自動販売機の商品搬出扉によれば、大きな強度を有するセラミックスからなる本体部分と、合成樹脂からなる梨地部分とに分割して形成し、両者を結合して商品搬出扉を構成することにより悪戯により商品搬出扉が破壊されるのを防止することができるという効果を有する。
【発明を実施するための最良の形態】
【００１２】
以下、本発明の実施の形態を図１および図２に示す実施例に基づいて説明する。図１は本発明の一実施例を示す自動販売機の商品搬出扉部分の要部側面図であり、図２は商品搬出扉の拡大図である。なお、各図において、図３と同一のものには同一の符号を付している。
【００１３】
図において１０で再び断熱内扉を示し、この断熱内扉１０の下部には商品搬出口１０１ａが形成された商品搬出口枠１０１が設けられている。前記商品搬出口１０１ａは断熱筐体として形成された本体キャビネット１の庫内における各商品収納室の下部に配置されたシューターＣと外扉６の商品取出口９とを連係するものである。そして、前記商品搬出口枠１０１に形成された商品搬出口１０１ａを閉塞するように商品搬出扉１１１が設けられており、この商品搬出扉１１１は上部の左右両端に突出する軸１１１ａ（図２参照）を有し、この軸１１１ａが商品搬出口枠１０１に軸支されることにより揺動自在に構成され、常時（販売待機時）商品搬出口１０１ａを閉塞しており、商品販売時にシューターＣから商品取出口９に送出される商品により押し開かれるように形成されている。前述のように商品搬出扉１１１は常時（販売待機時）商品搬出口１０１ａを閉塞するように構成するために、商品が当接する内壁面を商品取出口９側に湾曲して形成している。すなわち、商品搬出扉１１１は重心位置が商品取出口９側に偏心するように湾曲して形成され、これにより常時は商品搬出口１０１ａを閉塞している。なお、図１において、９１は外扉６の商品取出口９に設けられた商品取出口扉であり、この商品取出口扉９１も上端を軸支されて揺動自在に軸支され、常時商品取出口９を閉塞するように偏心して形成されている。
【００１４】
前記断熱内扉１０の商品搬出口１０１ａを閉塞する商品搬出扉１１１は合成樹脂により形成され、図２に示すように、その湾曲した内壁面は梨地１１２として形成されている。前記商品搬出扉１１１の内壁面の梨地１１２は商品搬出扉１１１を成形する成形型の表面に梨地模様が施され、この成形型を用いて商品搬出扉を成形することによって形成することができる。前記梨地１１２は良く知られているように梨の表皮の外観を呈する凹凸を有するものである。
【００１５】
かかる構成で、販売待機時には前記商品搬出扉１１１が断熱内扉１０に開口した商品搬出口１０１ａを閉塞しおり、庫内外への空気の流入または流出を防いでいる（庫内の商品を冷却してコールド商品として販売する商品収納室の場合には商品搬出口から庫内に外気が侵入するのを防ぎ、庫内の商品を加熱してホット商品として販売する場合には商品収納室の商品搬出口から庫内の暖気が流出するのを防いでいる）。一方、販売動作により庫内の商品収納ラックＲ（図３参照）から払出された商品はシューターＣに落下して滑落し、断熱内扉１０の商品搬出口１０１ａを閉塞する商品搬出扉１１１を押し開いて外扉６の商品取出口９に送出される。このようにシューターＣを滑落する商品が商品搬出扉１１１を押し開く際、前記商品は商品搬出扉１１１の内壁面（梨地１１２）に当接してその梨地１１２面を滑りながら商品搬出扉１１１を押し開く。この場合、商品搬出扉１１１の内壁面が梨地１１２として形成されていることによって商品と商品搬出扉１１１の内壁面との接触面積が小さくなり、商品は商品搬出扉１１１の内壁面をスムーズに滑って滑落する。
【００１６】
次に、商品収納ラックＲ（図３参照）から払出された商品に結露による水滴が付着しており、当該商品によって商品搬出扉１１１の内壁面（商品との当接面）に水滴が付着した場合について説明する。この実施の形態においては、商品搬出扉１１１の内壁面が梨地１１２として形成されていることによって当該内壁面の表面積が大きくなり、商品搬出扉１１１の内壁面に付着した水滴の大部分は梨地１１２の凹面に付着し、商品との接触点となる梨地１１２の凸部に付着する水滴は僅かなものとなり、また、商品と商品搬出扉１１１の内壁面との接触面積が小さいことから当該水滴によって商品が商品搬出扉１１１の内壁面に張り付くことはない。さらに、多面体形状の紙パック飲料の角が平面状に潰れており、その平面状部が商品搬出扉１１１の内壁面に当接した場合にも、商品搬出扉１１１の内壁面が梨地１１２として形成されていることによって商品（角が潰れた平面状部）と商品搬出扉１１１の内壁面との接触面積が小さくなり、商品は商品搬出扉１１１の内壁面をスムーズに滑って滑落する。このことは発明者らの実験により、軽量な商品であっても、また、多面体形状の紙パック飲料であっても確実に商品取出口に送出できることが確認されている。
【００１７】
図１および図２に示した実施の形態では商品搬出扉１１１が合成樹脂からなり、その成形型に梨地模様を施して商品搬出扉１１１を成形することにより商品搬出扉１１１に直接梨地を形成するものについて説明したが、この実施の形態に限定されるものではない。例えば、悪戯により商品搬出扉が破壊されるのを防止するために大きな強度を有するセラミックスからなる本体部分と、合成樹脂からなる梨地部分とに分割し、両者を結合して商品搬出扉を形成することができ、また、商品搬出扉の断熱性を向上させるために商品搬出扉の本体部分と梨地部分とに分割し、両者の間に空気層が形成されるように両者を接合することによって商品搬出扉を構成することもできる。
【図面の簡単な説明】
【００１８】
【図１】本発明の実施の形態を示す自動販売機の商品搬出扉部分の要部側面図である。
【図２】図１の商品搬出扉の拡大図である。
【図３】一般的な自動販売機の概略構成を示す斜視図である。
【符号の説明】
【００１９】
１      キャビネット本体
６      外扉
９      商品取出口
１０      内扉
１０１ａ      商品搬出口
１１１      商品搬出扉
１１２    梨地
【図１】
2008102655.tif 000003
【図２】
2008102655.tif 000004
【図３】
2008102655.tif 000005